(57)【要約】      （修正有）【課題】複数の映像表示装置を、個別に識別記号を設定することが可能な映像表示システムを提供する。【解決手段】映像表示システム３００は、個別の識別記号が付与される複数の映像表示装置１００と、映像表示装置を制御する制御装置２００と、映像表示装置を制御装置に直列に接続し、制御装置から映像表示装置に第１信号を伝達する第１信号ライン８０と、映像表示装置を制御装置に並列に接続し、制御装置と映像表示装置との間にて第２信号を伝達する第２信号ライン７０とを備え、各映像表示装置は、第２信号を受信する制御部と、第１信号を下流の第１信号ラインに送信することを第２信号に応じて選択可能であり、第１信号の受信状態を出力する信号処理部とを含み、制御装置は、第１信号を第１信号ラインに出力し、かつ、第２信号を第２信号ラインに出力し、制御部は、第２信号と、第１信号の受信状態とに基づき、映像表示装置に識別記号を付与する。【選択図】図１
2018066831.tif 000002
【特許請求の範囲】
【請求項１】
個別の識別記号が付与される複数の映像表示装置と、
複数の前記映像表示装置を制御する制御装置と、
複数の前記映像表示装置を前記制御装置に直列に接続し、前記制御装置から前記映像表示装置に第１信号を伝達する第１信号ラインと、
複数の前記映像表示装置を前記制御装置に並列に接続し、前記制御装置と前記映像表示装置との間において第２信号を双方向に伝達する第２信号ラインとを備え、
各前記映像表示装置は、前記第２信号を前記第２信号ラインより受信する制御部と、上流の前記第１信号ラインより受信する前記第１信号を下流の前記第１信号ラインに送信するまたは送信しないを前記第２信号に応じて選択可能であるとともに、前記第１信号の受信状態を判定し判定結果を前記制御部に出力する信号処理部とを含み、
前記制御装置は、前記第１信号を前記第１信号ラインに出力し、かつ、個別の前記識別記号を含む前記第２信号を前記第２信号ラインに出力し、
前記映像表示装置の前記制御部は、個別の前記識別記号を含む前記第２信号と、前記第１信号の前記受信状態とに基づき、前記映像表示装置に前記識別記号を付与する映像表示システム。
【請求項２】
前記映像表示装置の前記制御部は、個別の前記識別記号を含む前記第２信号を受信し、かつ、前記信号処理部より前記第１信号の受信有りの判定結果が出力された場合、前記映像表示装置に前記識別記号を付与する請求項１に記載の映像表示システム。
【請求項３】
前記信号処理部は、上流の前記第１信号ラインより受信した前記第１信号を、下流の前記第１信号ラインに出力する信号送信部をさらに含み、
前記制御部は、前記制御装置より送信される前記第２信号に基づいて前記信号送信部の入切を制御する請求項１または請求項２に記載の映像表示システム。
【請求項４】
前記映像表示装置は、映像表示部をさらに備え、
前記制御部は、前記信号処理部が前記第１信号を前記下流の前記第１信号ラインに送信しない状態において、前記信号処理部より前記第１信号の受信有りの判定結果を入力したことにより、前記映像表示部に映像が表示されるよう制御する請求項１から請求項３のいずれか一項に記載の映像表示システム。
【請求項５】
請求項１から請求項４のいずれか一項に記載の映像表示システムの制御方法であって、
各前記映像表示装置の前記信号処理部が特定の前記映像表示装置まで前記第１信号が届くように制御された状態で、前記制御装置が前記第１信号を前記第１信号ラインに出力する準備ステップと、
前記制御装置が、個別の前記識別記号を含む前記第２信号を前記第２信号ラインに出力する第２信号出力ステップと、
前記特定の映像表示装置の前記信号処理部が、前記第１信号の前記受信状態を判定し自己の前記制御部に出力する判定結果出力ステップと、
前記特定の映像表示装置の前記制御部が、個別の前記識別記号を含む前記第２信号を受信し、かつ、前記信号処理部より前記第１信号の受信有りの判定結果を入力することにより、前記第２信号に含まれる個別の前記識別記号を前記特定の映像表示装置に付与する識別記号付与ステップとを備える映像表示システムの制御方法。
【請求項６】
前記準備ステップは、前記特定の映像表示装置が、複数の前記映像表示装置のうち、前記第１信号ラインによって前記制御装置に直接接続された前記映像表示装置であるように、各前記映像表示装置の各前記制御部が、自己の前記信号処理部から前記第１信号が出力されないよう前記信号処理部を制御することを含む請求項５に記載の映像表示システムの制御方法。
【請求項７】
前記識別記号付与ステップの後、個別の前記識別記号を付与された前記特定の映像表示装置の前記制御部が、自己の前記信号処理部から前記第１信号が出力されるよう前記信号処理部を制御する第１信号出力ステップをさらに備える請求項５または請求項６に記載の映像表示システムの制御方法。
【請求項８】
前記準備ステップと、前記第２信号出力ステップと、前記判定結果出力ステップと、前記識別記号付与ステップと前記第１信号出力ステップとが繰り返し実行される請求項７に記載の映像表示システムの制御方法。
【請求項９】
前記制御装置が、個別の前記識別記号を含む前記第２信号を、前記個別の識別記号を有する前記映像表示装置に向けて、前記第２信号ラインに出力する確認信号出力ステップと、
前記確認信号出力ステップにおいて出力された前記第２信号に含まれる前記個別の識別記号が既に付与された前記映像表示装置の前記制御部が、前記確認信号出力ステップにおいて出力された前記第２信号を受信した後、前記制御装置に応答信号を含む前記第２信号を送信する応答ステップと、
前記制御装置が、前記応答ステップにおいて前記制御部より送信された前記第２信号を受信することにより、前記個別の識別記号とは異なる個別の前記識別記号を前記第２信号出力ステップにて送信するかを判定する重複回避ステップとをさらに備え、
前記確認信号出力ステップと、前記応答ステップと、前記重複回避ステップとは、前記第２信号出力ステップの前に実行される請求項５から請求項８のいずれか一項に記載の映像表示システムの制御方法。
【請求項１０】
前記制御装置が、前記第２信号出力ステップにおいて前記第２信号に含めて送信される個別の前記識別記号を読み込む読込ステップをさらに備え、
前記読込ステップは、前記第２信号出力ステップより前に実行される請求項５から請求項９のいずれか一項に記載の映像表示システムの制御方法。
【請求項１１】
前記映像表示装置の前記制御部が、前記信号処理部より前記第１信号の受信有りの判定結果を入力することにより、映像表示部に映像を表示する制御を行う映像表示ステップをさらに備え、
前記映像表示ステップは、前記判定結果出力ステップの後に実行され、
前記読込ステップは、前記映像表示ステップの後に実行される請求項１０に記載の映像表示システムの制御方法。
【請求項１２】
前記読込ステップは、前記制御装置が、複数の前記識別記号が配列された配列データを読み込むことを含み、
前記第２信号出力ステップは、前記制御装置が、前記配列データ内に配列された複数の前記識別記号の順に、個別の前記識別記号を含む前記第２信号を前記第２信号ラインに出力することを含む請求項１０に記載の映像表示システムの制御方法。
【請求項１３】
前記読込ステップは、前記制御装置が、所定の規則に従い、個別の前記識別記号を生成することを含む請求項１０に記載の映像表示システムの制御方法。
【請求項１４】
前記所定の規則が、前記第１信号ラインに直列に接続された前記映像表示装置の接続順に対応する請求項１３に記載の映像表示システムの制御方法。
【発明の詳細な説明】
【技術分野】
【０００１】
本発明は、映像表示システムおよびその制御方法に関し、特に映像表示システムを構成する複数の映像表示装置に対し、個別に制御用の識別記号が付与される技術に関する。
【背景技術】
【０００２】
映像表示システムは、複数の画面からなるマルチ画面に映像を表示する。これらのマルチ画面を構成する映像表示装置においては、複数の映像表示装置が連動して動作し、複数の画面で１つの映像表示システムとして動作する。またこれら複数の映像表示装置は例えば３行３列などマトリックス状に並べて構成することにより、１つの大画面が構成されることが多い。
【０００３】
このような複数の映像表示装置から成る映像表示システムでは、マルチ画面全体で同一の輝度、画質となるように、各映像表示装置の輝度や画質などを個別に調整する必要がある。そのためには、各映像表示装置の画面に表示される映像の輝度および画質を、映像表示装置ごとに調整する必要がある。個別に調整するためには各映像表示装置を識別するための番号を設定する必要がある。特許文献１には、リモートコントローラを使用して、ディスプレイ装置ごとにＩＤ番号（識別番号）を設定するマルチディスプレイが開示されている。
【０００４】
また特許文献２には、個別のＩＤ番号を付与して制御を行う複数の装置を、共通の通信ラインを介して縦列に接続した電子機器システムが開示されている。そのシステムにおいては、共通の通信ラインに縦列接続された初段（上位）の装置から後段（下位）の装置に、順に、ＩＤ番号が付与される。
【先行技術文献】
【特許文献】
【０００５】
【特許文献１】特開２００６−２５４２７５号公報
【特許文献２】国際公開第２０１３／０３８５５４号
【発明の概要】
【発明が解決しようとする課題】
【０００６】
従来の映像表示システムにおいては、リモコンなどを用いて各映像表示装置に個別の識別記号を付与する場合、映像表示装置１台ごとに識別記号を設定する必要があった。
【０００７】
また、複数台の映像表示装置が共通の通信ラインによって縦列に接続される映像表示システムにおいては、縦列接続された初段（上位）の映像表示装置から縦列接続の順番に従って、後段（下位）の映像表示装置に識別記号を設定する。しかし、その方法では、上位の機器と下位の機器との間の通信の送受信を遮断できる構造が必要であった。
【０００８】
そのような縦列接続された従属接続型の構成を含む映像表示システムは、縦列接続の途中のいずれかの箇所で故障が発生すると、故障した機器より上位の機器は制御可能であるが、故障した機器より下位の機器は制御不可能となる問題があった。
【０００９】
本発明は以上のような課題を解決するためになされたものであり、共通の通信ラインを介して接続される複数の映像表示装置に、個別に識別記号を設定することが可能な映像表示システムの提供を目的とする。
【課題を解決するための手段】
【００１０】
本発明に係る映像表示システムは、個別の識別記号が付与される複数の映像表示装置と、複数の映像表示装置を制御する制御装置と、複数の映像表示装置を制御装置に直列に接続し、制御装置から映像表示装置に第１信号を伝達する第１信号ラインと、複数の映像表示装置を制御装置に並列に接続し、制御装置と映像表示装置との間において第２信号を双方向に伝達する第２信号ラインとを備え、各映像表示装置は、第２信号を第２信号ラインより受信する制御部と、上流の第１信号ラインより受信する第１信号を下流の第１信号ラインに送信するまたは送信しないを第２信号に応じて選択可能であるとともに、第１信号の受信状態を判定し判定結果を制御部に出力する信号処理部とを含み、制御装置は、第１信号を第１信号ラインに出力し、かつ、個別の識別記号を含む第２信号を第２信号ラインに出力し、映像表示装置の制御部は、個別の識別記号を含む第２信号と、第１信号の受信状態とに基づき、映像表示装置に識別記号を付与する。
【発明の効果】
【００１１】
本発明によれば、共通の通信ラインを介して接続される複数の映像表示装置に、個別に識別記号を設定する映像表示システムの提供が可能である。その映像表示システムは、リモコンなどで事前にＩＤ番号を設定することなく、個別にＩＤ番号を設定することができる。また、本発明に係る映像表示システムは、共通の通信ラインを介して接続した複数の映像表示装置のうちの１台が故障したとしても、故障した映像表示装置以外の映像表示装置を制御可能である。
【図面の簡単な説明】
【００１２】
【図１】実施の形態１における映像表示システムの構成を示す図である。
【図２】実施の形態１における映像表示装置の構成を示す図である。
【図３】実施の形態１における映像表示装置の構成を示す図である。
【図４】実施の形態１における映像表示装置の構成を示す図である。
【図５】実施の形態１における映像表示装置の構成を示す図である。
【図６】実施の形態１における制御装置の動作を示すフローチャートである。
【図７】実施の形態１における映像表示装置の動作を示すフローチャートである。
【図８】実施の形態２における映像表示装置の動作を示すフローチャートである。
【図９】実施の形態２における映像表示システムの構成を示す図である。
【図１０】実施の形態２における映像表示システムの構成を示す図である。
【図１１】実施の形態３における制御装置の動作を示すフローチャートである。
【図１２】実施の形態４における制御装置の動作を示すフローチャートである。
【図１３】実施の形態５における制御装置の動作を示すフローチャートである。
【図１４】実施の形態５における映像表示システムの構成を示す図である。
【発明を実施するための形態】
【００１３】
本発明に係る映像表示システムの実施の形態について、以下に図面を参照しつつ説明する。なお、以下の説明では、同一の構成要素には同一の符号が付される。それらは、名称および機能も同じであるため、詳細な説明を省略する場合がある。
【００１４】
＜実施の形態１＞
（映像表示システム）
図１は、本実施の形態１における映像表示システム３００の構成を示す図である。
【００１５】
図１に示すように、映像表示システム３００は、制御装置２００と複数の映像表示装置１００−１、１００−２、１００−３、１００−４、１００−５、１００−６、１００−７、１００−８、１００−９とを備える。映像表示装置１００−１から１００−９の各々の詳細な構成は後述するが、同一の構成を有する。よって、映像表示装置１００−１から１００−９に共通の構成、動作または効果を説明する際、それら各映像表示装置に付される符号は、単に映像表示装置１００とも表記する。
【００１６】
映像表示システム３００は、複数の映像表示装置１００を備える。各映像表示装置１００は、連動して動作し、１または複数のディスプレイとして機能する。本実施の形態１の映像表示システム３００は、３行×３列のマトリックス状に配置された９台の映像表示装置１００を備える。なお、映像表示システム３００を構成する映像表示装置１００の個数は９に限定されない。すなわち、その個数は、２から８または１０以上であってもよい。
【００１７】
映像表示装置１００は、例えば、背面から画面に映像を投射するリアプロジェクション方式の映像表示装置、液晶ディスプレイ（Ｌｉｑｕｉｄ  Ｃｒｙｓｔａｌ  Ｄｉｓｐｌａｙ：ＬＣＤ）、ＬＥＤディスプレイなどである。各映像表示装置１００は、入力される映像情報をそれぞれ個別に表示する。
【００１８】
映像表示システム３００が備える制御装置２００は、各映像表示装置１００の連動を制御する。つまり、制御装置２００は、映像表示システム３００を構成する複数のディスプレイとして各映像表示装置１００が機能するための制御を行う。
【００１９】
図１に示すように、各映像表示装置１００は、第１信号ライン８０によって、制御装置２００に直列に接続される。具体的には、第１信号ライン８０上において、制御装置２００に近い方から順に、映像表示装置１００−１、１００−２、１００−３、１００−４、１００−５、１００−６、１００−７、１００−８、１００−９が制御装置２００に対して直列に接続される。制御装置２００は、第１信号ライン８０を介してデイジーチェインにより、各映像表示装置１００に第１信号つまり映像信号等を供給する。また、それら複数の映像表示装置１００は、第２信号ライン７０によって、制御装置２００に並列に接続される。制御装置２００と各映像表示装置１００とは、第２信号ライン７０を介して第２信号を双方向に送受信する。第２信号は、制御装置２００が各映像表示装置１００を制御するための信号を含む。また、制御装置２００は、ユーザーにより操作される外部インターフェース（以下、操作インターフェースともいう）を有する。操作インターフェースは、例えばキーボードやリモートコントローラ、制御装置２００に接続されたＰＣ（Ｐｅｒｓｏｎａｌ  Ｃｏｍｐｕｔｅｒ）である。
【００２０】
（映像表示装置）
図２は、映像表示装置１００の構成の一部を示す図である。図２に示すように、映像表示装置１００は、信号処理部４０を備える。信号処理部４０は、上流側の第１信号ライン８０ａを介して制御装置２００から送信される第１信号を受信し、また、その受信した第１信号を下流側の第１信号ライン８０ｂを介して他の映像表示装置１００に送信する。つまり、信号処理部４０は、上流の第１信号ライン８０ａより受信する第１信号を下流の第１信号ライン８０ｂに出力する。なお、上流とは、第１信号ライン８０上において、制御装置２００に近づく方向を示し、下流とは、制御装置２００から遠ざかる方向を示す。
【００２１】
また、映像表示装置１００は通信ポート３０と制御部５０とを含む。制御部５０は、その通信ポート３０と第２信号ライン７０とを介して、制御装置２００と映像表示装置１００との間において第２信号を送受信する。
【００２２】
また各々の映像表示装置１００は、制御部５０がアクセス可能な記憶部６０を備える。記憶部６０は設定情報などを記憶可能である。設定情報とは、例えば映像表示装置１００の輝度、および画質に関する設定や、制御装置２００が映像表示装置１００を個別に制御するための識別記号、例えばＩＤ番号などである。
【００２３】
制御部５０は、信号処理部４０の出力の入／切の制御が可能である。制御装置２００は、第２信号ライン７０および通信ポート３０を介して、制御部５０に信号処理部４０の出力の入／切を制御する信号を送信する。なお、その信号は第２信号として第２信号ライン７０を介して制御装置２００から映像表示装置１００に送られる。制御部５０は、その受信した第２信号に基づき、信号処理部４０の出力の入／切を制御する。
【００２４】
また、映像表示装置１００は、映像表示部９０を含む。信号処理部４０は、第１信号ライン８０から受信した第１信号つまり映像信号を映像表示部９０に出力する。制御部５０は、映像表示部９０に表示する画像または映像を制御可能である。
【００２５】
（信号処理部）
図３は、信号処理部４０の内部の構成を示す図である。信号処理部４０は、信号受信部４１と信号送信部４２と信号判定部４３とを含む。信号受信部４１は、上流側の第１信号ライン８０ａから第１信号を受信する。信号受信部４１の出力は、信号判定部４３に入力される。信号判定部４３は、信号受信部４１に入力される第１信号つまり映像信号の有信号または無信号の判定を行う。信号判定部４３は、その判定結果を制御部５０に出力する。つまり、信号処理部４０は、映像表示装置１００が第１信号ライン８０ａから第１信号を受信しているかを判定する信号判定機能を有する。また、信号受信部４１で受信した映像信号は映像表示部９０と、信号送信部４２とに出力される。信号送信部４２が、下流の第１信号ライン８０ｂに映像信号を出力するか否かは、制御部５０によって制御される。つまり、上述したように、制御部５０によって、信号送信部４２の出力の入／切の制御が行われる。
【００２６】
（第１信号ラインによる直列接続）
制御装置２００は、各映像表示装置１００を直列に接続する。図１に示すように、制御装置２００は、映像表示装置１００−１に、第１信号ライン８０を介して接続する。より具体的には、第１信号ライン８０によって、制御装置２００の送信部（図示せず）は、映像表示装置１００−１の信号受信部４１に接続される。そして、映像表示装置１００−１の信号送信部４２が、映像表示装置１００−２の信号受信部４１に第１信号ライン８０によって接続される。同様に映像表示装置１００−ｍの信号送信部４２が、制御装置２００からみて下流側に配列される映像表示装置１００−（ｍ＋１）の信号受信部４１に接続される。なお、ｍは自然数である。
【００２７】
複数の映像表示装置は第１信号ライン８０にて、順序番号ｍの映像表示装置１００−ｍの信号処理部４０の信号送信部４２と、順序番号（ｍ＋１）の映像表示装置１００―（ｍ＋１）の信号処理部４０の信号受信部４１とが、第１信号ライン８０により、直列に、例えば縦列に接続される。
【００２８】
第１信号ライン８０にて伝達される第１信号は、例えば映像信号や音声信号である。その第１信号は、上述した信号判定部４３が、受信状況を判定する対象でもある。
【００２９】
（第２信号ラインによる並列接続）
図１に示すように、映像表示装置１００−１と映像表示装置１００−２とは、制御装置２００に対し、第２信号ライン７０によって並列に接続される。同様に、映像表示装置１００−３から１００−９も、制御装置２００に対し、第２信号ライン７０によって並列に接続される。以下に、その並列接続の構成を説明する。
【００３０】
図４および図５は、第２信号ライン７０と各映像表示装置１００との接続を示す図である。各映像表示装置１００は、通信ポート３０を含む。図４に示す並列接続においては、１本の第２信号ライン７０が各映像表示装置１００に対応して分岐される。その分岐先は、映像表示装置１００が含むコネクタ３１に接続される。コネクタ３１は、映像表示装置１００の内部で通信ポート３０に接続される。また、上記の分岐は、例えば、第２信号ライン７０を構成するケーブルが分岐されることにより実現される。
【００３１】
図５に示す並列接続においては、各映像表示装置１００を接続するケーブルは分岐されず、映像表示装置１００の内部にて、その第２信号ライン７０は分岐される。各映像表示装置１００は、第２信号ライン７０が接続されるコネクタ３２とコネクタ３３とを有する。第２信号ライン７０の一端は、映像表示装置１００のコネクタ３２に接続し、その第２信号ライン７０の他端は、他の映像表示装置１００のコネクタ３３に接続する。各映像表示装置１００間は、第２信号ライン７０で接続される。映像表示装置１００の内部では、コネクタ３２とコネクタ３３の間は直接接続され、その直接接続されるライン上に分岐が設けられる。その分岐先が通信ポート３０に接続される。つまり、図５の映像表示装置１００は、その内部にて分岐された第２信号ライン７０が通信ポート３０に接続されることにより、制御装置２００に対し並列に接続される。
【００３２】
図４に示す映像表示装置１００と、図５に示す映像表示装置１００とは、各映像表示装置１００に接続する第２信号ライン７０の接続構成、つまりケーブルの接続構成は異なる。しかし、いずれの映像表示装置１００も制御装置２００に対し、第２信号ライン７０を介して、並列に接続される。
【００３３】
（識別記号）
制御装置２００が、映像表示システム３００を構成する各映像表示装置１００のうち、特定の映像表示装置を個別に制御する場合、各映像表示装置１００には予め互いに異なる識別記号が設定される必要がある。識別記号とは、制御装置２００が、各映像表示装置１００を個別に識別するための記号であり、以下の説明において、「ＩＤ」とも表記する。識別記号は、例えば、数字、文字、符号等を含む。例えば、識別記号は、整数、アルファベット等である。制御装置２００が、映像表示装置１００を個別に識別可能なものであればよい。また、識別記号の桁数や文字数は、予め映像表示システム３００内で規定される。例えば、識別記号が整数の場合、ＩＤ＝００〜９９、または、ＩＤ＝０００〜９９９などであり、それら桁数は映像表示システム３００内で規定されていればよい。
【００３４】
本実施の形態１においては、識別記号は２桁の整数で規定した整数であり、以下の説明では「ＩＤ番号」とも表記する。さらに、それら２桁の整数のうち、特定の映像表示装置１００を個別に制御するために各映像表示装置１００に付与するＩＤ番号はｎ（ｎは２桁の整数）とし、ｎ＝０１〜９９とする。
【００３５】
一方で、ＩＤ＝００には、制御装置２００が、複数の映像表示装置１００を同時に制御できる機能を付与する。つまり、各映像表示装置１００は、個別に設定されたＩＤ＝０１〜９９に関係なく、ＩＤ＝００が付された第２信号に対して反応する。それにより、制御装置２００は、全ての映像表示装置１００を制御することが可能である。
【００３６】
制御装置２００は、例えば制御コマンドにＩＤ＝００を含む第２信号を、第２信号ライン７０を介して、各映像表示装置１００に送信する。第２信号ライン７０によって並列に接続された全ての映像表示装置１００の制御部５０は、通信ポート３０を介してＩＤ＝００を含む第２信号を受信する。全ての制御部５０は、その第２信号に基づいて動作する。一方で、例えば、制御装置２００が、制御コマンドにＩＤ＝９９を付して第２信号を送信した場合、ＩＤ＝００の場合と同様に、第２信号ライン７０に接続される全ての映像表示装置１００の制御部５０が、そのＩＤ＝９９の第２信号を受信するものの、その第２信号に基づいた制御を実行するのは、ＩＤ＝９９が付与された映像表示装置１００が備える制御部５０のみである。
【００３７】
以上の方法は、各映像表示装置１００に対し個別に設定されたＩＤ＝０１〜９９とは異なるＩＤ＝００を付した第２信号を制御装置２００が送信することで、複数の映像表示装置１００を同時に制御可能とした。しかし、その同時制御の方法は、個別制御用のコマンドとは異なる複数台同時制御用のコマンドを制御装置２００が各映像表示装置１００に送信することで実現しても良い。
【００３８】
（識別記号付与のための映像表示システムの制御方法）
図６は、各映像表示装置１００に識別記号つまり個別識別用のＩＤ番号を設定する際の、制御装置２００が実行する処理を示すフローチャートである。また、図７は、各映像表示装置１００にＩＤ番号を付与する際の、映像表示装置１００の動作を示すフローチャートである。本明細書では、図６と図７は、別々に記載しているが、実際には、制御装置２００の動作と各映像表示装置１００の動作とは、互いに連携して実行される。
【００３９】
制御装置２００は、図６のステップＳ２０１の処理から開始する。ステップＳ２０１において、制御装置２００が、映像表示システム３００を構成する映像表示装置１００に対し、ＩＤ番号設定モードの起動コマンドを含む第２信号を、第２信号ラインを介して送信する。この際、第２信号ライン７０に並列に接続されたすべての映像表示装置１００が、ＩＤ番号設定モードを起動するように、制御装置２００は、第２信号にＩＤ＝００を付して送信する。つまり、第２信号には、個別の識別記号とは異なるＩＤ＝００が含まれる。
【００４０】
映像表示装置１００は、図７のステップＳ１０１の処理から開始する。ステップＳ１０１において、第２信号ライン７０によって並列に接続された全ての映像表示装置１００の制御部５０が、ＩＤ番号設定モードの起動コマンドを受信する。
【００４１】
つづいて、ステップＳ１０２において、ＩＤ番号設定モードの起動コマンドを受信した制御部５０は、その起動コマンドに基づいてＩＤ番号設定モードに移行する。またその際、制御部５０は、信号処理部４０の信号送信部４２の出力をＯＦＦに制御する。その制御方法は、例えば以下の通りである。制御部５０は、ＩＤ番号設定モードの起動コマンドを受信することにより、信号送信部４２の出力をＯＦＦに制御する制御信号を信号送信部４２に出力しても良い。または、制御部５０は、ＩＤ番号設定モードの起動コマンドとともに信号送信部４２の出力をＯＦＦにする制御信号が含まれた第２信号を制御装置２００から受信し、その制御信号に基づいて、信号送信部４２の出力をＯＦＦに制御する制御信号を信号送信部４２に出力しても良い。つまり、この場合、制御装置２００が、信号送信部４２の出力をＯＦＦにする制御信号を第２信号に含めて送信する。
【００４２】
ステップＳ２０２において、制御装置２００の送信部（図示せず）は、第１信号ライン８０に第１信号を出力する。なお、ステップＳ２０２の実行タイミングは、ステップＳ２０１にて、制御装置２００が各映像表示装置１００に第２信号を出力してから一定時間経過後であっても良いし、ステップＳ１０２にて、信号送信部４２の出力をＯＦＦに制御した制御部５０が、ＯＦＦ完了の信号を第２信号ラインに出力し、その信号を制御装置２００が受信した後であっても良い。なお、これらステップＳ１０２およびステップＳ２０２は、準備ステップである。
【００４３】
次にステップＳ２０３において、制御装置２００は、操作インターフェースを介して入力された個別の識別記号としてＩＤ番号を読み込む。つまり、このステップＳ２０３は読込ステップである。ここでは、そのＩＤ番号をＩＤ＝ｎとする。なお、このステップにおいては、ｎは、００を除く２桁の整数である。そのＩＤ番号は、後述するステップにおいて、映像表示装置１００に設定する個別の識別記号である。また、このステップＳ２０３は、ユーザーが操作インターフェースを介してＩＤ番号を入力するステップを含んでもよい。
【００４４】
つづいて、ステップＳ２０４において、ステップＳ２０３にてＩＤ番号（ＩＤ＝ｎ）を読み込んだ制御装置２００は、ＩＤ番号設定コマンドを第２信号として第２信号ラインに出力する。ＩＤ番号設定コマンドには、特定の映像表示装置１００にＩＤ＝ｎを付与するコマンドが含まれている。また、制御装置２００は、そのＩＤ番号設定コマンドを含む第２信号にＩＤ＝００を付して送信する。なお、このステップＳ２０４は第２信号出力ステップである。
【００４５】
ステップＳ１０３にて、第２信号ライン７０に接続されるすべての映像表示装置１００は、ステップＳ２０４にて送信されたＩＤ番号設定コマンドを受信する。
【００４６】
次にステップＳ１０４において、映像表示装置１００は、ステップＳ２０２によって制御装置２００から送信されている第１信号の受信状態を確認する。つまり、信号処理部４０の信号判定部４３が第１信号の受信状態を判定し、その判定結果を制御部５０に出力する。映像表示装置１００の制御部５０が信号判定部４３より入力した判定結果が、「第１信号の受信なし」であった場合、つまりステップＳ１０４にてＮＯの場合、ステップＳ１０３にてＩＤ番号設定コマンドを受信していても、ＩＤ番号を設定する処理は行わず、ステップＳ１０３に戻る。一方で、映像表示装置１００の制御部５０が信号判定部４３より入力した判定結果が、「第１信号の受信あり」であった場合、つまりステップＳ１０４にてＹＥＳの場合、ステップＳ１０５に移行する。なお、このステップＳ１０４は判定結果出力ステップである。
【００４７】
そして、ステップＳ１０５において、制御部５０は、ステップＳ１０３にて第２信号として受信したＩＤ番号設定コマンドに基づいて、その制御部５０が含まれる映像表示装置１００のＩＤ番号をＩＤ＝ｎに設定する。つまり、制御部５０は、映像表示装置１００に個別の識別記号を付与する。なお、このステップＳ１０５は識別記号付与ステップである。
【００４８】
ステップＳ１０５につづくステップＳ１０６において、制御部５０は、受信したＩＤ番号設定コマンドに対する応答を、通信ポート３０より制御装置２００に第２信号を送信する。その第２信号には、設定したＩＤ番号（ＩＤ＝ｎ）の情報が含まれる。また、制御部５０は、ＩＤ番号設定モードを解除し通常動作モードに移行する制御を実行する。
【００４９】
以上のように、制御部５０は、ＩＤ番号設定モードに移行しており、かつ、信号判定部４３の判定結果が「第１信号の受信なし」である場合には、ＩＤ番号設定コマンドを受信しても、自身のＩＤ番号を変更しない。また、制御部５０は、受信したＩＤ番号設定コマンドに対する応答を返さない。一方で、制御部５０は、ＩＤ番号設定モードに移行しており、かつ、信号判定部４３の判定結果が「第１信号の受信あり」である場合には、ＩＤ番号設定コマンドを受信することにより、自身のＩＤ番号をＩＤ＝ｎに設定する。また、制御部５０は、受信したＩＤ番号設定コマンドに対する応答を制御装置２００に送信する。
【００５０】
ステップＳ２０５において、制御装置２００は、ステップＳ１０６にて映像表示装置１００が送信したＩＤ番号設定コマンドに対する応答を受信しているか判定する。
【００５１】
制御装置２００が、ＩＤ番号設定コマンドに対する応答である第２信号を受信した場合、つまりステップＳ２０５でＹＥＳの場合、制御装置２００は、ステップＳ２０６において、ＩＤ＝ｎの映像表示装置１００に対し、信号送信部４２の出力をＯＮにする制御コマンドを第２信号として送信する。つまり、その第２信号には、ＩＤ＝ｎが付される。
【００５２】
例えば、本実施の形態１においては、ＩＤ番号がｎ＝０１である場合、第１信号ライン８０にて直列に接続された１台目の映像表示装置１００−１が、ＩＤ＝０１に設定される。
【００５３】
ステップＳ１０７において、ステップＳ１０５にてＩＤ＝０１が設定された映像表示装置１００−１は、ステップＳ２０５にて送信された信号送信部４２をＯＮにするコマンドを受信する。制御部５０は、そのコマンドに基づいて、信号送信部４２をＯＮにする。なお、このステップＳ１０６は第１信号出力ステップである。そして、信号送信部４２は、信号受信部４１で受信した第１信号を下流側の第１信号ライン８０に出力する。すなわち、信号送信部４２は、第１信号ライン８０にて直列に接続された２台目の映像表示装置１００−２に第１信号を送信する。映像表示装置１００−２の信号受信部４１は、その第１信号を受信する。
【００５４】
映像表示システム３００が、映像表示装置１００−２にＩＤ＝０２を設定する場合、ステップＳ２０３に戻る。そして、ステップＳ２０３において、操作インターフェースを介して入力されたＩＤ番号（ｎ＝０２）を読み込む。制御装置２００は、ステップＳ２０４にて、設定するＩＤ番号（ｎ＝０２）を含むＩＤ番号設定コマンドを第２信号として送信する。その際、その第２信号にはＩＤ＝００を付して送信する。
【００５５】
ステップＳ１０３にて、第２信号ライン７０に接続された全ての映像表示装置１００の制御部５０は、ステップＳ２０４にて制御装置２００から送信された第２信号を受信する。しかし、ＩＤ＝０１が既に設定された、映像表示装置１００−１は、既にＩＤ番号設定モードを解除しているため、ＩＤ設定用コマンドを受信しても反応しない。この動作は、信号判定部４３による信号受信部４１の第１信号受信あり、受信なしの判定結果に関係しない。
【００５６】
次に、第１信号ライン８０にて縦列に接続された２台目の映像表示装置１００−２は、ステップＳ１０２にて既にＩＤ番号設定モードに移行しており、信号処理部４０の信号送信部４２の出力も制御部５０によってＯＦＦに制御されている。ステップＳ１０３において、映像表示装置１００−２を含む全ての映像表示装置１００は、ステップＳ２０４にて制御装置２００が送信したＩＤ番号設定コマンドを受信する。つづくステップＳ１０４にて、各信号判定部４３は第１信号を受信しているか判定する。
【００５７】
ステップＳ１０４にて、映像表示装置１００−２の信号判定部４３は、「第１信号受信あり」と判定する。これは、上述したように、１台目の映像表示装置１００−１の制御部５０が、ＩＤ番号付与後に、その映像表示装置１００−１の信号送信部４２をＯＮに切り替えることにより、２台目の映像表示装置１００−２に第１信号が到達するためである。ステップＳ１０５にてＹＥＳと判定された、映像表示装置１００−２は、ステップＳ１０５にて制御部５０が自身のＩＤ番号をＩＤ＝０２に設定する。次にステップＳ１０６にて、映像表示装置１００−２の制御部５０は、受信したＩＤ番号設定コマンドに対する応答としてＩＤ番号０２を含む第２信号を、通信ポート３０より制御装置２００に送信する。また、制御部５０は、ＩＤ番号設定モードを解除し通常動作モードに移行する。
【００５８】
ステップＳ２０５において、制御装置２００は、映像表示装置１００よりＩＤ番号設定コマンドに対する応答を受信したか判定する。ここでは、制御装置２００は、映像表示装置１００−２よりＩＤ番号設定コマンドに対する応答を受信する。そして、つづくステップＳ２０６にて、ＩＤ＝０２が設定された映像表示装置１００−２に対し、信号送信部４２をＯＮするためのコマンドを送信する。この際、コマンドには、ＩＤ＝０２が付されて送信される。
【００５９】
ステップＳ１０７において、ＩＤ＝０２である映像表示装置１００−２は、制御装置２００が送信した信号送信部４２のＯＮコマンドを受信する。そのコマンドを受信した制御部５０は、信号送信部４２をＯＮに切り替える。これにより、映像表示装置１００−２の信号受信部４１にて受信した第１信号を第１信号ラインに出力する。つまり、信号送信部４２は、第１信号ライン８０にて縦列に接続された３台目の映像表示装置１００−３に第１信号を送信する。映像表示装置１００−３の信号受信部４１は、第１信号を受信する。
【００６０】
例えば、図１に示すように９台の映像表示装置１００が、第１信号ライン８０にて直列に接続されている場合、映像表示システム３００は、上記と同様の動作を、９台目の映像表示装置１００−９にＩＤ番号が設定されるまで繰り返す。
【００６１】
９台目の映像表示装置１００−９にＩＤ＝９が設定された後、ステップＳ１０６にて映像表示装置１００−９のＩＤ設定モードが解除される。次に、ステップＳ２０３にて、ＩＤ番号が、ＩＤ＝１０に設定された場合、制御装置２００は、ステップＳ２０４にて、ＩＤ＝１０を付与するＩＤ番号設定コマンドを第２信号として送信する。その第２信号には、ＩＤ＝００が付される。
【００６２】
ステップＳ２０３にて、既にＩＤ番号が設定されたＩＤ＝０１〜０９のそれぞれの映像表示装置１００の制御部５０は、その第２信号を受信するが、既にＩＤ番号設定モードが解除されているため、そのＩＤ番号設定コマンドに対しては反応しない。
【００６３】
一方で、制御装置２００は、ステップＳ２０５にて、ＩＤ番号設定コマンド（ＩＤ＝１０）に対する応答がない場合、つまりステップＳ２０５にてＮＯの場合、ステップＳ２０７にて所定の時間、その応答を待つ。そして制御装置２００は、タイムアウトになるか判定する。所定の時間が経過し、映像表示装置１００より応答がない場合、タイムアウトと判定する。つまりステップＳ２０７にてＹＥＳの場合、制御装置２００は、共通の第２信号ライン７０に並列に接続した全ての映像表示装置１００に、ＩＤ番号を設定できたものと判断する。そして、制御装置２００は、ＩＤ番号設定モードを終了する。
【００６４】
以上をまとめると、本実施の形態１における映像表示システム３００は、個別の識別記号が付与される複数の映像表示装置１００と、複数の映像表示装置１００を制御する制御装置２００と、複数の映像表示装置１００を制御装置２００に直列に接続し、制御装置２００から映像表示装置１００に第１信号を伝達する第１信号ライン８０と、複数の映像表示装置１００を制御装置２００に並列に接続し、制御装置２００と映像表示装置１００との間において第２信号を双方向に伝達する第２信号ライン７０とを備え、各映像表示装置１００は、第２信号を第２信号ライン７０より受信する制御部５０と、上流の第１信号ライン８０より受信する第１信号を下流の第１信号ライン８０に送信するまたは送信しないを第２信号に応じて選択可能であるとともに、第１信号の受信状態を判定し判定結果を制御部５０に出力する信号処理部４０とを含む。制御装置２００は、第１信号を第１信号ライン８０に出力し、かつ、個別の識別記号を含む第２信号を第２信号ライン７０に出力する。映像表示装置１００の制御部５０は、個別の識別記号を含む第２信号と、第１信号の受信状態とに基づき、映像表示装置１００に識別記号を付与する。
【００６５】
以上のような構成により、映像表示システム３００は、制御装置２００に対し直列に接続された上流側の映像表示装置１００から順に、第２信号ライン７０を介して個別の識別記号を付与することができる。
【００６６】
従来の映像表示システムは、初期設定時に、すべての映像表示装置が同一であるため、事前に各映像表示装置に対して、ＰＣ等により個別に接続して識別記号を設定する必要があった。また、事前に各映像表示装置１００に対してＰＣ等で１対１接続して識別記号を設定する際、重複するＩＤが割り当てられてしまった場合は、再度、映像表示装置１００との接続を変更して重複しているＩＤ番号を変更する必要があった。本実施の形態１における映像表示システム３００は、すべての映像表示装置１００に対して、事前に識別記号を設定することなく、異なる識別記号を一度に設定することができる。また、映像表示システム３００は、ＩＤ番号を一度に設定することができ、初期設定時の操作を従来よりも短時間で簡単に行うことが可能である。
【００６７】
また、本実施の形態によれば、リモコンなどにより事前に識別記号を設定することなく、共通の第２信号ライン７０に接続した複数の映像表示装置１００に識別記号を設定することができる。
【００６８】
また、本実施の形態によれば、共通の第２信号ライン７０に複数の映像表示装置１００を並列に接続しているため、識別記号を設定するために、上位の映像表示装置１００と下位の映像表示装置１００の通信の送受信を遮断する必要がなく、共通の通信ラインを、動作モードに応じて切り替え可能なスイッチを備える必要がない。
【００６９】
また、本実施の形態によれば、共通の第２信号ラインに複数の映像表示装置１００を並列に接続し、上位の映像表示装置１００と下位の映像表示装置１００の通信の送受信を遮断できる構造になっていないため、識別記号設定後の映像表示システム３００の運用中に、複数の映像表示装置１００のうちの１台に故障が発生しても、共通の第２信号ライン７０が途中で遮断されることなく、故障した映像表示装置１００の上位の映像表示装置１００ならびに、下位の映像表示装置１００のいずれも制御可能である。
【００７０】
また、本実施の形態によれば、共通の第２信号ライン７０に複数の映像表示装置１００を並列に接続し、上位の映像表示装置１００と下位の映像表示装置１００の通信の送受信を遮断できる構造になっていないため、共通の第２信号ラインに複数の制御装置２００を接続することが可能であり、識別記号設定後のシステム運用中に、複数の制御装置２００のうちの１台に故障が発生し、映像表示装置１００が制御できない状態となっても、共通の第２信号ライン７０上に接続された残りの制御装置２００から、複数の映像表示装置１００の制御可能な映像表示システム３００が構成できる。
【００７１】
また、本実施の形態１における映像表示システム３００が備える映像表示装置１００の制御部５０は、個別の識別記号を含む第２信号を受信し、かつ、信号処理部４０より第１信号の受信有りの判定結果を入力することにより、第２信号に含まれる個別の識別記号を映像表示装置１００に識別記号を付与する。このような構成により、映像表示システム３００は、制御装置２００に対し直列に接続された上流側の映像表示装置１００から順に、第２信号ライン７０を介して個別の識別記号を設定することができる。
【００７２】
また、本実施の形態１における映像表示システム３００が備える映像表示装置１００の信号処理部４０は、上流の第１信号ライン８０より受信した第１信号を、下流の第１信号ライン８０に出力する信号送信部４２をさらに含み、制御部５０は、制御装置２００より送信される第２信号に基づいて信号送信部４２の入切を制御する。このような構成により、映像表示システム３００は、制御装置２００に対し直列に接続された上流側の映像表示装置１００から順に、第２信号ライン７０を介して個別の識別記号を設定することができる。
【００７３】
また、本実施の形態１における映像表示システム３００の制御方法は、各映像表示装置１００の信号処理部４０が特定の映像表示装置１００まで第１信号が届くように制御された状態で、制御装置２００が第１信号を第１信号ライン８０に出力する準備ステップと、制御装置２００が、個別の識別記号を含む第２信号を第２信号ライン７０に出力する第２信号出力ステップと、特定の映像表示装置１００の信号処理部４０が、第１信号の受信状態を判定し自己の制御部５０に出力する判定結果出力ステップと、特定の映像表示装置１００の制御部５０が、個別の識別記号を含む第２信号を受信し、かつ、信号処理部４０より第１信号の受信有りの判定結果を入力することにより、第２信号に含まれる個別の識別記号を特定の映像表示装置１００に付与する識別記号付与ステップとを備える。このような構成により、映像表示システム３００は、制御装置２００から第１信号ライン８０を介して第１信号を受信している映像表示装置１００のうち、第１信号ライン８０上において、最も制御装置２００から離れた映像表示装置１００に、第２信号ライン７０を介して個別の識別記号を付与することができる。
【００７４】
また，本実施の形態１における映像表示システム３００の制御方法が備える準備ステップは、特定の映像表示装置１００が、複数の映像表示装置１００のうち、第１信号ラインによって制御装置２００に直接接続された映像表示装置１００であるように、各映像表示装置１００の各制御部５０が、自己の信号処理部４０から第１信号が出力されないよう信号処理部４０を制御することを含む。このような構成により、映像表示システム３００の制御方法は、最初に、第１信号ライン８０上において、最も制御装置２００に近い映像表示装置１００に、第２信号ライン７０を介して個別の識別記号を付与することができる。
【００７５】
また，本実施の形態１における映像表示システム３００の制御方法は、識別記号付与ステップの後、個別の識別記号を付与された特定の映像表示装置の制御部が、自己の信号処理部から第１信号が出力されるよう信号処理部を制御する第１信号出力ステップをさらに備える。このような構成により、映像表示システム３００は、第１信号ライン８０上において、個別の識別記号を付与した映像表示装置１００よりも下流側に接続される映像表示装置１００に個別の識別記号を付与することができる。
【００７６】
また，本実施の形態１における映像表示システム３００の制御方法は、準備ステップと、第２信号出力ステップと、判定結果出力ステップと、識別記号付与ステップと第１信号出力ステップとが繰り返し実行される。このような構成により、映像表示システム３００は、制御装置２００に対し第１信号ライン８０によって直列に接続された映像表示装置１００に、順に、個別の識別記号を付与することができる。
【００７７】
また，本実施の形態１における映像表示システム３００の制御方法は、制御装置２００が、第２信号出力ステップにおいて第２信号に含めて送信される個別の識別記号を読み込む読込ステップをさらに備え、読込ステップは、第２信号出力ステップより前に実行される。このような構成により、映像表示システム３００は、任意の個別の識別記号を、映像表示装置１００に付与することができる。映像表示システム３００は、読込ステップにおいて、例えば、操作者が入力した個別の識別記号を読み込むことで、操作者が選択する任意の個別の識別記号を、映像表示装置１００に付与することができる。
【００７８】
＜実施の形態２＞
本実施の形態２における映像表示システムについて説明する。
【００７９】
図９は、本実施の形態２における映像表示システム３０１の構成を示す図である。本実施の形態２における映像表示システム３０１は、制御装置２００に第１信号ライン８０によって接続される映像表示装置１００の接続順序が、図１に示した実施の形態１における映像表示システム３００のそれとは異なる。図９に示すように、第１信号ライン８０上において、制御装置２００に近い方から順に、映像表示装置１００−１、１００−２、１００−３、１００−６、１００−５、１００−４、１００−７、１００−８、１００−９が制御装置２００に対して直列に接続される。なお、図９において、ＩＤ＝０１から０４までのＩＤ番号が図示されているが、それらは、以下に説明するＩＤ番号の設定フローにおいて説明されるものであり、映像表示システム３０１の初期状態において既に付されているものではない。本実施の形態２において、制御装置２００の処理は、実施の形態１と同様であり、図６のフローチャートで示される。図８は、実施の形態２における各映像表示装置１００に個別のＩＤ番号を設定する際の、映像表示装置１００の動作を示すフローチャートである。
【００８０】
制御装置２００は、図６のステップＳ２０１の処理から開始する。ステップＳ２０１において、制御装置２００は、映像表示システム３０１を構成する映像表示装置１００に対し、ＩＤ番号設定モードの起動コマンドを含む第２信号を、第２信号ラインを介して送信する。この際、第２信号ライン７０に並列に接続されたすべての映像表示装置１００が、ＩＤ番号設定モードを起動するように、制御装置２００は、第２信号にＩＤ＝００を付して送信する。つまり、第２信号には、識別記号としてＩＤ＝００が含まれる。
【００８１】
ステップＳ２０２において、制御装置２００の送信部（図示せず）は、第１信号ライン８０に第１信号を出力する。
【００８２】
映像表示装置１００は、図８のステップＳ１２１の処理から開始する。ステップＳ１２１において、映像表示装置１００の制御部５０は、制御装置２００から送信されたＩＤ番号設定モードの起動コマンドを、第２信号ラインを介して受信する。
【００８３】
ステップＳ１２２において、映像表示装置１００の制御部５０は、受信した起動コマンドに基づいてＩＤ番号設定モードに移行する。またその際、制御部５０は、信号処理部４０の信号送信部４２の出力をＯＦＦに制御する。なお、ステップＳ２０２およびステップＳ１２２は準備ステップである。
【００８４】
ステップＳ１２３において、映像表示装置１００の信号判定部４３は、ステップＳ２０２によって制御装置２００から送信されている第１信号の受信状態を判定し、その判定結果を制御部５０に出力する。制御部５０が信号判定部４３より入力した判定結果が、「第１信号の受信なし」であった場合、つまりステップＳ１２３にてＮＯの場合、ステップＳ１２３を繰り返す。一方で、制御部５０が信号判定部４３より入力した判定結果が、「第１信号の受信あり」であった場合、つまりステップＳ１２３にてＹＥＳの場合、ステップＳ１２４に移行する。なお、このステップＳ１２３は判定結果出力ステップである。
【００８５】
ステップＳ１２４において、信号判定部４３にて「第１信号の受信あり」と判定された映像表示装置１００−１は、ＩＤ番号の設定対象である。よって、その信号判定部４３が判定した「第１信号の受信あり」の判定結果に基づいて、制御部５０は、ＩＤ番号の設定対象の映像表示装置であることをユーザーに示すため、映像表示部９０に映像を表示する。例えば、表示する映像は全白映像である。なおこのステップＳ１２４は、映像表示ステップである。
【００８６】
また、ステップＳ１２４にて、制御部５０が映像表示部９０に表示する映像は、全白映像などの単色映像やテストパターンに限らず、例えば映像表示装置１００の映像入力端子から入力される映像信号に基づく映像であってもよい。また、映像表示装置１００が、例えばＯＳＤ（Ｏｎ  Ｓｃｒｅｅｎ  Ｄｉｓｐｌａｙ）などのメニュー表示機能がある映像表示装置であれば、制御部５０は、ＯＳＤによるメニュー等を表示してもよい。つまり静止画でも良い。
【００８７】
ステップＳ２０３において、制御装置２００は、操作インターフェースを介して入力されたＩＤ番号を読み込む。その際、本実施の形態２においては、そのＩＤ番号は、ユーザーが、ステップＳ１２４にて映像が表示された映像表示装置１００−１に応じて入力したＩＤ番号を読み込む。本実施の形態では、ＩＤ＝０１である。なお、このステップＳ２０３は、読込ステップである。
【００８８】
つづいて、ステップＳ２０４において、ＩＤ番号（ＩＤ＝０１）を読み込んだ制御装置２００は、ＩＤ番号設定コマンドを第２信号として第２信号ラインに出力する。ＩＤ番号設定コマンドには、映像表示装置にＩＤ＝０１を付与するコマンドが含まれている。また、制御装置２００は、そのＩＤ番号設定コマンドを含む第２信号にＩＤ＝００を付して送信する。なお、このステップＳ２０４は第２信号出力ステップである。
【００８９】
ステップＳ１２５にて、映像表示装置１００の制御部５０は、ステップＳ２０４にて送信されたＩＤ番号設定コマンドを受信しているか判定する。制御部５０が、ＩＤ番号設定コマンド（設定するＩＤ番号がＩＤ＝０１）を受信している場合、つまりステップＳ１２５にてＹＥＳの場合、制御部５０は、自身にＩＤ＝０１に設定する。つまり、制御部５０は、ＩＤ番号設定モードに移行しており、かつ、信号判定部４３にて第１信号受信ありと判定された映像表示装置１００−１は、ステップＳ１２５にてＩＤ番号設定コマンドを受信すると、ステップＳ１２６にて、自身にＩＤ＝０１に設定する。
【００９０】
さらに、ステップＳ１２７にて、制御部５０は、受信したＩＤ番号設定コマンドに対する応答を、通信ポート３０より制御装置２００に送信する。この際、その応答は、第２信号ライン７０に出力され、また、ＩＤ＝０１の情報を含む。そして、制御部５０は、ＩＤ番号設定モードを解除し、通常動作モードに移行する。さらに、制御部５０は、映像表示部９０に表示した映像をＯＦＦする。
【００９１】
ステップＳ２０５において、制御装置２００は、ステップＳ１２７にて映像表示装置１００−１が送信したＩＤ番号設定コマンドに対する応答を受信するか判定する。
【００９２】
制御装置２００が、ＩＤ番号設定コマンドに対する応答を受信した場合、つまりステップＳ２０５でＹＥＳの場合、制御装置２００は、ステップＳ２０６において、ＩＤ＝０１の映像表示装置１００−１に対し、信号送信部４２の出力をＯＮにする制御コマンドを第２信号として送信する。つまり、その第２信号には、ＩＤ＝０１が付される。
【００９３】
ステップＳ１２８において、個別識別用のＩＤ番号がＩＤ＝０１である映像表示装置１００−１は、信号送信部４２のＯＮコマンドを受信する。制御部５０は、そのコマンドに基づき、信号送信部４２をＯＮにする。なお、このステップＳ１２８は第１信号出力ステップである。これにより、信号受信部４１にて受信した第１信号を、信号送信部４２より第１信号ライン８０に出力する。第１信号ライン８０にて縦列に接続された２台目の映像表示装置１００−２の信号受信部４１は、映像表示装置１００−１から出力される第１信号を受信する。
【００９４】
２台目の映像表示装置１００−２は、ステップＳ１２２で、既にＩＤ番号設定モードに移行している。また、上記のステップＳ１２８により、映像表示装置１００−２は第１信号を受信している。よって、ステップＳ１２３においては、映像表示装置１００−２の信号判定部４３は、第１信号受信ありと判定する。ステップＳ１２４にて、第１信号ライン８０に直列に接続された２台目の映像表示装置１００−２の制御部５０は、映像表示部９０に番号設定の付与対象であることを示す映像を表示するよう制御する。
【００９５】
ステップＳ２０３において、制御装置２００は、ＩＤ＝０２を読み込む。この値は、操作インターフェースを介して入力される。ステップＳ２０４にて、制御装置２００は、個別識別用のＩＤ番号設定コマンド（設定するＩＤ番号ｎ＝０２）を第２信号として、第２信号ライン７０に出力する。その第２信号にはＩＤ＝００が付され、第２信号ラインに接続する全ての映像表示装置１００に向けて送信される。
【００９６】
ＩＤ＝０１に設定された、１台目の映像表示装置１００−１は、信号受信部４１にて第１信号を受信しているが、既にＩＤ番号設定モードを解除している。そのため、映像表示装置１００−１の制御部５０は、ＩＤ設定用コマンド（第２信号）を第２信号ラインから受信しても反応しない。また、映像表示装置１００−１の制御部５０は、映像表示部９０にＩＤ番号設定対象であることの映像表示を行わない。
【００９７】
ＩＤ番号設定モードに状態遷移しており、かつ信号判定部４３にて第１信号受信なしと判定される映像表示装置１００においては、その制御部５０がＩＤ番号設定コマンドを受信しても、自身のＩＤ番号を変更することはない。また、それら映像表示装置１００の制御部５０は、受信したＩＤ番号設定コマンドに対する応答を返さない。
【００９８】
第１信号ライン８０にて縦列に接続された２台目の映像表示装置１００−２は、ＩＤ番号設定モードに状態移行している。なおかつ、その信号受信部４１が第１信号を受信しており、信号判定部４３は、第１信号受信ありの判定結果を制御部５０に出力する。よって、制御部５０は、ＩＤ番号設定コマンドを受信すると、ステップＳ１２６で自身のＩＤ番号をＩＤ＝０２に設定する。また、ステップＳ１２７にて、制御部５０は、受信したＩＤ番号設定用コマンドに対する応答を、通信ポート３０よりＩＤ＝０２の情報を含めて制御装置２００に送信する。また、制御部５０は、ＩＤ番号設定モードを解除し通常動作モードに移行する。さらに制御部５０は、映像表示部９０に表示したＩＤ番号設定対象の映像表示をＯＦＦする。
【００９９】
ＩＤ番号設定コマンドに対する応答を受信した制御装置２００は、ステップＳ２０６で、ＩＤ＝０２の映像表示装置１００−２に対し、信号送信部４２をＯＮに制御するためのコマンドを送信する。この際、そのコマンドは、ＩＤ＝０２に向けて送信する。
【０１００】
個別の識別記号がＩＤ＝０２である映像表示装置１００−２は、信号送信部４２のＯＮコマンドを受信する。そして制御部５０は、信号送信部４２をＯＮにする。これにより、映像表示装置１００−２の信号受信部４１にて受信した第１信号を、信号送信部４２は第１信号ラインに出力する。第１信号ライン８０にて縦列に接続された３台目の映像表示装置１００−３の信号受信部４１は、その映像表示装置１００−２の信号送信部４２より出力された第１信号を受信する。
【０１０１】
同様にして、映像表示システム３０１は、制御装置２００に対し、第１信号ライン８０によって直列に接続された３番目の映像表示装置１００−３を、ＩＤ＝０３として設定する。
【０１０２】
ＩＤ番号設定コマンドに対する応答を受信した制御装置２００は、ＩＤ番号０３に対し、信号処理部４０の信号の送信部をＯＮするためのコマンドをＩＤ番号＝０３に向けて送信する。
【０１０３】
ＩＤ番号設定モードに状態遷移しており、かつ信号受信部４１が第１信号を受信した次の４台目の映像表示装置１００−６の制御部５０は、同様に映像表示部９０に番号設定対象であることを示す映像を表示する。
【０１０４】
第１信号ライン８０にて直列に接続した順番の通りにＩＤ番号を設定するのであれば、図９に示すように、４台目に位置する映像表示装置１００−６は、個別識別用のＩＤ番号がＩＤ＝０４に設定される。しかしながら、映像表示システム３０１が、図９に示すような、３行３列のマトリックス状に複数の映像表示装置１００を備える場合、各行において、マトリックスの左側から昇順にＩＤ番号を設定する構成が好ましいこともある。その場合、図１０に示すように、映像表示装置１００−６には、ＩＤ番号として、ＩＤ＝０６が設定される。
【０１０５】
映像表示装置１００−６は、ＩＤ番号設定モードに状態遷移しており、かつその信号受信部４１が第１信号を受信している。つまり、ＩＤ番号が設定される映像表示装置である。すなわち、映像表示装置１００−６は、図１０に示すように、その制御部５０が映像表示部９０に番号設定対象であることを表示している。なお、ここでは、その表示は全白表示である。映像表示システム３０１内の配置位置から、例えば、ユーザーは、制御装置２００にＩＤ＝０６を入力する。制御装置２００は、そのＩＤ＝０６を読み込み、ＩＤ番号設定コマンドをＩＤ＝０６として第２信号ラインを介して各映像表示装置１００に送信する。
【０１０６】
映像表示装置１００−６は、ＩＤ番号設定モードに状態遷移しており、かつ信号受信部４１が第１信号を受信している。よって、その制御部５０が、制御装置２００よりＩＤ番号設定コマンドを受信すると、自身のＩＤ番号をＩＤ＝０６に設定する。制御部５０は、受信したＩＤ番号設定コマンドに対する応答を、通信ポート３０よりＩＤ番号０６として制御装置２００に送信する。また、制御部５０は、ＩＤ番号設定モードを解除し、通常動作モードに移行する。さらに映像表示装置１００−６の制御部５０は、映像表示部９０に表示したＩＤ番号の設定対象を示す映像表示を解除、すなわちＯＦＦにする。
【０１０７】
ＩＤ番号設定コマンドに対する応答を受信した制御装置２００は、信号送信部４２をＯＮにするコマンドをＩＤ＝０６に、すなわち映像表示装置１００−６に送信する。
【０１０８】
これにより、映像表示装置１００−６の信号送信部４２はＯＮとなり、信号受信部４１で受信した第１信号を、下流側の第１信号ライン８０に出力する。そして、ステップＳ１２２において、ＩＤ番号設定モードに状態移行しており、かつ、ステップＳ１２３において、信号処理部４０の信号判定部４３が第１信号の受信ありと判定した５台目の映像表示装置、すなわち映像表示装置１００−５は、ステップＳ１２４にて、その制御部５０が同様に映像表示部９０にＩＤ番号設定対象であることを示す映像を表示する。
【０１０９】
（効果）
以上をまとめると、本実施の形態２における映像表示システム３０１が備える映像表示装置１００は映像表示部９０をさらに備え、制御部５０は、信号処理部４０が第１信号を下流の第１信号ライン８０に送信しない状態において、信号処理部４０より第１信号の受信有りの判定結果を入力したことにより、映像表示部９０に映像が表示されるよう制御する。
【０１１０】
以上のような構成により、映像表示システム３０１は、現在、ＩＤ番号の付与対象である映像表示装置１００を操作者に明示することができる。それにより、映像表示システム３０１の操作者が、ＩＤ番号設定対象である映像表示装置１００を容易に判別することができる。それにより、第１信号ライン８０で縦列に接続される順序に対応する番号とは異なる番号、例えば、マトリックス上の映像表示装置１００の配置位置に応じた番号で、識別記号を設定することができる。
【０１１１】
また、本実施の形態の映像表示システム３０１によれば、マトリックス上の映像表示装置１００の配置位置に応じた番号で、識別記号を設定することができるため、映像表示システム３０１の運用上、分かりやすい識別記号の設定が可能となる。また、制御装置２００に第１信号ライン８０によって接続する縦列接続の１台目の映像表示装置１００を、マトリックス状の任意の位置に配置することができる。
【０１１２】
また、本実施の形態の映像表示システム３０１によれば、識別記号設定対象の映像表示装置１００が明示されるため、第２信号ライン７０で並列に接続され、マトリックス状に配置された複数の映像表示装置１００のうちの、どの映像表示装置１００が識別記号の設定対象であるか容易に判別可能である。マトリックス上の映像表示装置１００の位置を確認しながら、識別記号を設定することができる。よって、初期設定時の操作を短時間で行うことが可能となる。
【０１１３】
また，本実施の形態２における映像表示システム３０１の制御方法は、映像表示装置１００の制御部５０が、信号処理部４０より第１信号の受信有りの判定結果を入力することにより、映像表示部９０に映像を表示する制御を行う映像表示ステップをさらに備える。そして、映像表示ステップは、判定結果出力ステップの後に実行され、読込ステップは、映像表示ステップの後に実行される。このような構成により、映像表示システム３０１は、その映像表示システム３０１を構成する映像表示装置１００に識別記号を順に設定する工程において、次にＩＤ番号が設定されるべき映像表示装置１００を操作者に明示することができる。それにより、映像表示システム３０１の操作者が、ＩＤ番号設定対象である映像表示装置１００を容易に判別することができる。よって、制御装置２００に対し各映像表示装置１００が第１信号ライン８０によって直列に接続されるものの、その直列接続の順序とは異なる順序で識別記号が設定される状況においても、本実施の形態２における映像表示システム３０１は、従来よりも容易に識別記号を各映像表示装置に付与できる。
【０１１４】
＜実施の形態３＞
図１１は、実施の形態３における映像表示システムが備える制御装置２００の処理を示すフローチャートである。なお、本実施の形態３において、各映像表示装置１００の動作は、実施の形態１または２と同様であり、図７または図８のフローチャートで示される。
【０１１５】
制御装置２００は、図１１のステップＳ２３１の処理から開始する。ステップＳ２３１において、制御装置２００が、映像表示システムを構成する映像表示装置１００に対し、ＩＤ番号設定モードの起動コマンドを含む第２信号を、第２信号ラインを介して送信する。この際、第２信号ライン７０に並列に接続されたすべての映像表示装置１００が、ＩＤ番号設定モードを起動するように、制御装置２００は、第２信号にＩＤ＝００を付して送信する。つまり、第２信号には、識別記号としてＩＤ＝００が含まれる。
【０１１６】
第２信号ライン７０によって並列に接続された全ての映像表示装置１００が含む制御部５０は、ＩＤ番号設定モードの起動コマンドを受信する。つづいて、ＩＤ番号設定モードの起動コマンドを受信した映像表示装置１００が備える制御部５０は、その起動コマンドに基づいてＩＤ番号設定モードに移行する。またその際、制御部５０は、信号処理部４０の信号送信部４２の出力をＯＦＦに制御する。
【０１１７】
ステップＳ２３２において、制御装置２００の送信部（図示せず）は、第１信号ライン８０に第１信号を出力する。このステップＳ２３２は、準備ステップに含まれる。
【０１１８】
次にステップＳ２３３において、制御装置２００は、映像表示装置１００に設定されるＩＤ番号（ＩＤ＝ｎ）を読み込む。そのＩＤ番号は、例えば、操作インターフェースを介して入力される。
【０１１９】
つづくステップＳ２３４にて、制御装置２００は、ＲＥＡＤコマンドを、第２信号ラインを介して映像表示装置１００に送信する。ＲＥＡＤコマンドは、ステップＳ２３３で読み込んだ特定の識別記号を有する映像表示装置１００、つまり、ＩＤ＝ｎを有する映像表示装置１００に対し送信される。制御装置２００は、ＲＥＡＤコマンドを特定の識別記号を含む第２信号として、第２信号ラインを介して、特定の映像表示装置１００に送信する。なお、ＲＥＡＤコマンドは、制御装置２００が、映像表示装置１００の状態を取得するコマンドであり、例えば、設定情報の取得コマンドであっても良いし、応答確認専用のコマンドであっても良い。ＲＥＡＤコマンドは、映像表示装置１００のＲＥＡＤ応答が取得できるコマンドであれば何でもよい。なお、このステップＳ２３４は、確認信号出力ステップである。
【０１２０】
例えば、映像表示システムが映像表示装置１００にＩＤ＝０５を設定する場合、ステップＳ２３４にて、制御装置２００は、ＲＥＡＤコマンドをＩＤ＝０５に対して送信する。制御装置２００は、ステップＳ２３５にて、ＲＥＡＤコマンドに対する応答の有無を判定する。
【０１２１】
第２信号ライン７０に並列に接続された全ての映像表示装置１００は、それぞれにＲＥＡＤコマンドを受信する。
【０１２２】
すでにＩＤ＝０５に設定された映像表示装置１００が、第２信号ライン７０上に存在している場合、ＩＤ＝０５である映像表示装置１００の制御部５０が、ＲＥＡＤコマンドを受信した後、そのＲＥＡＤコマンドに対する応答を制御装置２００に第２信号ラインを介して送信する。なお、このステップは、応答ステップである。
【０１２３】
ＩＤ＝０５に対して送信したＲＥＡＤコマンドに対する応答があった場合、つまり、ステップＳ２３５にてＹＥＳの場合、制御装置２００は、ステップＳ２３６でＩＤ番号重複エラーと判断して、エラー応答を出力する。そして、制御装置２００は、設定するＩＤ番号を入力するステップＳ２３３の処理に再び移行する。
【０１２４】
ステップＳ２３５にて、所定のタイムアウト時間内にＩＤ＝０５に対して送信したＲＥＡＤコマンドに対する応答がない場合、つまり、ステップＳ２３５においてＮＯの場合、制御装置２００は、ＩＤ＝０５に設定された映像表示装置１００が、第２信号ライン７０上に存在しないものと判断する。つづく、ステップＳ２３７において、制御装置２００は、映像表示装置１００に設定するＩＤ番号をＩＤ＝０５としたＩＤ番号設定コマンドを、ＩＤ＝００に向けて送信する。そのコマンドは、第２信号として、第２信号ラインを介して送信される。なお、ステップＳ２３５およびステップＳ２３６は、重複回避ステップである。また、ステップＳ２３７は第２信号出力ステップである。
【０１２５】
第２信号ライン７０を介して並列に接続されたすべての映像表示装置１００の制御部５０は、ＩＤ番号設定コマンドを受信する。
【０１２６】
ＩＤ番号設定モードに状態遷移しており、かつ、信号判定部４３にて第１信号受信なしと判定されている映像表示装置１００は、ＩＤ番号設定コマンドを受信しても、自身のＩＤ番号を変更することはない。また、その映像表示装置１００は、受信したＩＤ番号設定コマンドに対する応答も返さない。
【０１２７】
また、既にＩＤ番号を設定済みの映像表示装置１００は、ＩＤ番号設定モードを解除しているので、ＩＤ番号設定コマンドに対して反応しない。
【０１２８】
ＩＤ番号設定モードに状態遷移しており、かつ信号判定部４３が第１信号受信ありと判定している映像表示装置１００においては、その制御部５０が自身のＩＤ番号をＩＤ＝０５に設定する。またその制御部５０は、受信したＩＤ番号設定コマンドに対する応答を、通信ポート３０より制御装置に送信する。その応答には、ＩＤ＝０５から発信される情報が含まれる。そして、制御部５０は、ＩＤ番号設定モードを解除し通常動作モードに移行する。
【０１２９】
ステップＳ２４０において、制御装置２００は、映像表示装置１００が送信したＩＤ番号設定コマンドに対する応答を受信するか判定する。
【０１３０】
制御装置２００が、ＩＤ番号設定コマンドに対する応答を受信した場合、つまりステップＳ２４０でＹＥＳの場合、制御装置２００は、ステップＳ２４１において、ＩＤ＝０５の映像表示装置１００に対し、信号送信部４２の出力をＯＮにする制御コマンドを送信する。その後、制御装置２００は、ステップＳ２３３の処理へ移行し、同様の操作、処理を繰り返す。また、ステップＳ２４０にてＮＯの場合の処理は、実施の形態１のステップＳ２０５においてＮＯである場合の処理と同様である。以上により、本実施の形態３における映像表示システムは、第２信号ライン７０に並列に接続された映像表示装置１００のＩＤ番号を設定する。
【０１３１】
（効果）
以上をまとめると、本実施の形態３における映像表示システムの制御方法は、制御装置２００が、個別の識別記号を含む第２信号を、その個別の識別記号を有する映像表示装置１００に向けて、第２信号ライン７０に出力する確認信号出力ステップと、確認信号出力ステップにおいて出力された第２信号に含まれる個別の識別記号が既に付与された映像表示装置１００の制御部５０が、確認信号出力ステップにおいて出力された第２信号を受信した後、制御装置２００に応答信号を含む第２信号を送信する応答ステップと、制御装置２００が、応答ステップにおいて制御部５０より送信された第２信号を受信することにより、その個別の識別記号とは異なる個別の識別記号を第２信号出力ステップにて送信するかを判定する重複回避ステップとをさらに備える。そして、確認信号出力ステップと、応答ステップと、重複回避ステップとは、第２信号出力ステップの前に実行される。
【０１３２】
以上のような構成により、本実施の形態３における映像表示システムは、識別記号つまりＩＤ番号の重複を検出し、そして、重複を回避しながらＩＤ番号の設定が可能である。通常、映像表示システムが備える複数の映像表示装置１００は、初期時に、すべての映像表示装置１００が同一の設定である。そのため、制御装置２００が、個々に映像表示装置１００を制御するためには、事前に各映像表示装置１００に対してＰＣ等で、１対１で接続し、各ＩＤ番号を各映像表示装置１００に設定する必要があった。本実施の形態３の映像表示システムは、事前にＩＤ番号を設定することなく、第２信号ライン７０に並列に接続された複数の映像表示装置１００に、重複することなく識別記号を設定することができる。また従来の映像表示システムでは、事前に各映像表示装置１００に対してＰＣ等で１対１接続してＩＤ番号を設定する際に、重複するＩＤが割り当てられてしまった場合は、再度、映像表示装置１００に接続し、重複しているＩＤ番号を変更する必要があった。本実施の形態３の映像表示システムは、ＩＤ番号を一度に設定することができ、重複することがなく設定できるので、初期設定時の操作を短時間で簡単かつ確実に行うことが可能となる。
【０１３３】
＜実施の形態４＞
図１２は実施の形態４における映像表示システムが備える制御装置２００の処理を示すフローチャートである。なお、本実施の形態４において、各映像表示装置１００の動作は、実施の形態１または２と同様であり、図７または図８のフローチャートで示される。
【０１３４】
制御装置２００は、図１１のステップＳ２５１の処理から開始する。ステップＳ２５１において、制御装置２００が、映像表示システムを構成する映像表示装置１００に対し、ＩＤ番号設定モードの起動コマンドを含む第２信号を、第２信号ラインを介して送信する。この際、第２信号ライン７０に並列に接続されたすべての映像表示装置１００が、ＩＤ番号設定モードを起動するように、制御装置２００は、第２信号にＩＤ＝００を付して送信する。つまり、第２信号には、識別記号としてＩＤ＝００が含まれる。
【０１３５】
第２信号ライン７０によって並列に接続された全ての映像表示装置１００が、ＩＤ番号設定モードの起動コマンドを受信する。つづいて、ＩＤ番号設定モードの起動コマンドを受信した映像表示装置１００が備える制御部５０は、その起動コマンドに基づいてＩＤ番号設定モードに移行する。またその際、制御部５０は、信号処理部４０の信号送信部４２の出力をＯＦＦに制御する。
【０１３６】
ステップＳ２５２において、制御装置２００の送信部（図示せず）は、第１信号ライン８０に第１信号を出力する。なおステップＳ２５２は、準備ステップである。
【０１３７】
次に制御装置２００はステップＳ２５３で、映像表示装置１００に設定するＩＤ番号ｎを、ｎ＝１とする。ｎ＝１のとき制御装置２００は映像表示装置１００に設定するＩＤ番号をＩＤ＝０１として、ステップＳ２５４にて、ＩＤ番号設定コマンド（設定するＩＤ番号＝０１）を、ＩＤ＝００に向けて送信する。
【０１３８】
第２信号ライン７０を介して並列に接続されたすべての映像表示装置１００の制御部５０は、ＩＤ番号設定コマンドを受信する。
【０１３９】
ＩＤ番号設定モードに状態遷移しており、かつ信号判定部４３にて第１信号受信なしと判定された映像表示装置１００においては、その制御部５０がＩＤ番号設定コマンドを受信しても、自身のＩＤ番号を変更することはない。また制御部５０は、受信したＩＤ番号設定コマンドに対する応答を返さない。
【０１４０】
ＩＤ番号設定モードに状態遷移しており、かつ信号判定部４３が第１信号受信ありと判定した映像表示装置１００においては、その制御部５０は、自身のＩＤ番号をＩＤ＝０１に設定する。また、制御部５０は、受信したＩＤ番号設定コマンドに対する応答を、通信ポート３０よりＩＤ番号０１として制御装置２００に送信する。そして、制御部５０は、ＩＤ番号設定モードを解除し通常動作モードに移行する。
【０１４１】
ステップＳ２５５において、制御装置２００は、映像表示装置１００が送信したＩＤ番号設定コマンドに対する応答を受信しているか判定する。制御装置２００が、ＩＤ番号設定コマンドに対する応答を受信した場合、つまりステップＳ２５５でＹＥＳの場合、制御装置２００は、ステップＳ２５７において、ＩＤ＝０１の映像表示装置１００に対し、その信号送信部４２の出力をＯＮにする制御コマンドを送信する。ＩＤ＝０１の映像表示装置１００の制御部５０は、その制御コマンドを受信し、信号送信部４２を入に制御する。この制御部５０が信号送信部４２を入に制御するステップは、第１信号出力ステップである。
【０１４２】
第１信号出力ステップの後、または、第１信号出力ステップのために、ステップＳ２５７において制御装置２００が制御コマンドを送信した後、制御装置２００は、ステップＳ２５８にて、ｎ＝ｎ＋１として、次に付与する新たなＩＤ番号としてｎを１つ増加する。そして、ステップＳ２５４の処理へ再び移行する。なお、このステップＳ２５８は、新たな個別の識別記号を生成するステップである。また、ｎ＝ｎ＋１は、識別記号を生成するための所定の規則の一例であり、他の式で与えられても良い。本実施の形態において、その所定の規則、つまり、ｎ＝ｎ＋１は、第１信号ライン８０に直列に接続された映像表示装置１００の接続順に対応する。
【０１４３】
同様にして、制御装置２００は、ステップＳ２５４にて、映像表示装置１００に設定するＩＤ番号をＩＤ＝０１から１つ増加したＩＤ＝０２として、ＩＤ番号設定コマンド（設定するＩＤ番号＝０２）を、ＩＤ＝００として送信する。
【０１４４】
第１信号ライン８０にて縦列に接続された次の映像表示装置１００は、既にＩＤ番号設定モードに移行している。そのうち、信号判定部４３によって第１信号受信ありと判定された映像表示装置１００が、ＩＤ＝００として送信されたＩＤ番号設定コマンドを受信すると、その制御部５０は、自身のＩＤ番号をＩＤ＝０２に設定する。そして制御部５０は、受信したＩＤ番号設定コマンドに対する応答を、通信ポート３０よりＩＤ番号０２として制御装置２００に送信する。また、制御部５０は、ＩＤ番号設定モードを解除し通常動作モードに移行する。
【０１４５】
ステップＳ２５５において、ＩＤ番号設定コマンドに対する応答を受信した制御装置２００は、ステップＳ２５７にて、ＩＤ＝０２に対し信号送信部４２をＯＮにするコマンドを、ＩＤ番号＝０２に向けて送信する。ステップＳ２５８にて、制御装置２００は、ｎ＝ｎ＋１として、設定するＩＤ番号ｎを１つ増加し、ステップＳ２５４の処理に戻る。
【０１４６】
以上のステップを繰り返し実行し、本実施の形態４における映像表示システムは、第１信号ライン８０で縦列に接続された映像表示装置１００のＩＤ番号を、縦列接続の上位からつまり上流から順番に設定する。ステップＳ２５６でコマンド応答がタイムアウト時間を経過した場合、制御装置２００はタイムアウトと判断し、ＩＤ番号設定モードを終了する。
【０１４７】
また、映像表示装置１００は、それぞれＩＤ番号を設定された後、通常動作モードに移行する。つまり、ステップＳ２５６にて、制御装置２００がタイムアウト処理によりＩＤ番号設定モードを終了したときには、第２信号ライン７０を介して並列に接続されたすべての映像表示装置１００は、通常動作状態モードに移行している。
【０１４８】
（効果）
以上をまとめると、本実施の形態４における映像表示システムの制御方法が備える読込ステップは、制御装置２００が、所定の規則に従い、個別の識別記号を生成することを含む。以上のような構成により、映像表示システムは、第１信号ライン８０にて直列に接続された映像表示装置１００に、直列に接続した順番どおりの番号ではなく、所定の規則に従って識別記号を設定することができる。
【０１４９】
また、本実施の形態の４における映像表示システムの制御方法は、その所定の規則が、第１信号ライン８０に直列に接続された映像表示装置１００の接続順に対応する。このような構成により、映像表示システムは、制御装置２００に対し、第１信号ライン８０によって直列に接続された映像表示装置１００のうち、上流の映像表示装置１００、つまり第１信号ライン８０において、制御装置２００に近い映像表示装置１００から順番に識別記号を設定することができる。また、映像表示システムは、第２信号ライン７０に並列に接続された複数の映像表示装置１００に、第１信号ライン８０で縦列接続した順番に従って、ＩＤ番号を自動で設定することができる。
【０１５０】
また従来は、複数の映像表示装置を制御する場合は初期設定時に、すべての映像表示装置が同一となっているため、事前に各映像表示装置に対してＰＣ等で、１対１で接続して別々のＩＤ番号を設定する必要があったが、本実施の形態４のように構成することにより、事前にＩＤ番号を設定することなく、ＩＤ番号を縦列に接続した順番に応じた番号に、自動で一度に設定することができ、初期設定時の操作を短時間で簡単に行うことが可能となる。
【０１５１】
＜実施の形態５＞
図１３は実施の形態５における制御装置２００の処理を示すフローチャートである。なお、本実施の形態５において、各映像表示装置１００の動作は、実施の形態１または２と同様であり、図７または図８のフローチャートで示される。
【０１５２】
ステップＳ２６１にて制御装置２００は、ＩＤ番号設定データを読み込む。ＩＤ番号設定データとは、ユーザーが所望する順番にＩＤ番号を付与するためのデータである。ＩＤ番号設定データは、任意の整数であるａ，ｂ，ｃ，ｄ，ｅ・・・が順に配列されたデータを有する。本実施の形態５においては、それら配列は、第１信号ライン８０によって直列に接続される映像表示装置１００の順番に対応する。
【０１５３】
図１４は、本実施の形態５における映像表示システム３０２の構成を示す図である。第１信号ライン８０は、制御装置２００に対し、各映像表示装置１００を直列に接続し、その接続順が、列方向に上から順番に接続されている。つまり、第１信号ライン８０上において、制御装置２００に近い方から順に、映像表示装置１００−１、１００−４、１００−７、１００−２、１００−５、１００−８、１００−３、１００−６、１００−９が直列に接続される。なお、図１４において、ＩＤ＝０１から０９までのＩＤ番号が図示されているが、それらは、以下に説明するＩＤ番号の設定フローにおいて説明されるものであり、映像表示システム３０２の初期状態において既に付されているものではない。以下に示す、ＩＤ番号設定フローにて、ＩＤ番号は３行３列のマトリックス上に設定された複数の映像表示装置１００に対し、マトリックスの最左列、最上段から昇順にＩＤ番号が設定される。
【０１５４】
制御装置２００は、第１信号ライン８０の縦列に接続した順番に、映像表示装置１００に対しＩＤ番号を設定するため、ＩＤ番号設定データで指定するＩＤ番号の順番は、ＩＤ＝０１→０４→０７→０２→０５→０８→０３→０６→０９である。
【０１５５】
ＩＤ番号設定データは、上記のとおり設定するＩＤ番号とその順番を指定するためのものである。よって、本実施の形態５においては、上述したＩＤ番号設定データが有する任意の整数の配列には、ａ＝０１、ｂ＝０４、ｃ＝０７の整数が格納され、ｄ以降の配列にも映像表示装置１００の縦列接続順に応じた整数が格納される。つまり、ＩＤ番号設定データは、“０１，０４，０７，０２，０５，０８，０３，０６，０９”の配列を有する。ステップＳ２６１では、制御装置２００は、そのような配列が格納されたファイルを読み込む。なお、その方法に限られず、例えば、映像表示システム３０２の制御用のアプリケーションソフトウェア上で、設定するＩＤ番号と、その設定順を指定するなどの方法でも良い。つまり、設定するＩＤ番号とその順番が指定可能であれば、どのような方法を用いてもよい。なお、ステップＳ２６１は、読込ステップに含まれる。
【０１５６】
ステップＳ２６２において、制御装置２００は、映像表示装置１００にＩＤ番号設定モードの起動コマンドを送信する。
【０１５７】
第２信号ライン７０によって並列に接続された全ての映像表示装置１００が、ＩＤ番号設定モードの起動コマンドを受信する。つづいて、ＩＤ番号設定モードの起動コマンドを受信した映像表示装置１００が備える制御部５０は、その起動コマンドに基づいてＩＤ番号設定モードに移行する。またその際、制御部５０は、信号処理部４０の信号送信部４２の出力をＯＦＦに制御する。
【０１５８】
ステップＳ２６３において、制御装置２００の送信部（図示せず）は、第１信号ライン８０に第１信号を出力する。
【０１５９】
次にステップＳ２６４において、制御装置２００は、映像表示装置１００に設定するＩＤ番号ｎを、ｎ＝ａに設定する。なお、ａとは、ステップＳ２６１にて、ＩＤ番号設定データで指定された１番目のデータのことであり、本実施の形態５においては、ａ＝０１である。ｎ＝ａのとき制御装置２００は映像表示装置１００に設定するＩＤ番号をＩＤ＝ａとして、ステップＳ２６５にて、ＩＤ番号設定コマンド（設定するＩＤ番号＝ａ）を、ＩＤ＝００に向けて送信する。
【０１６０】
第２信号ライン７０を介して並列に接続されたすべての映像表示装置１００はＩＤ番号設定コマンドを受信する。
【０１６１】
ＩＤ番号設定モードに状態遷移しており、かつ信号判定部４３にて第１信号受信なしと判定された映像表示装置１００においては、その制御部５０は、ＩＤ番号設定コマンドを受信しても、自身のＩＤ番号を変更することない。また、制御部５０は、受信したＩＤ番号設定コマンドに対する応答を返さない。
【０１６２】
ＩＤ番号設定モードに状態遷移しており、かつ信号判定部４３が第１信号受信ありと判定した映像表示装置１００においては、その制御部５０が自身のＩＤ番号をＩＤ＝ａに設定する。そして、制御部５０は、受信したＩＤ番号設定コマンドに対する応答を、通信ポート３０よりＩＤ番号ａとして制御装置２００に送信する。さらに制御部５０は、ＩＤ番号設定モードを解除し通常動作モードに移行する。
【０１６３】
ステップＳ２６６において、ＩＤ番号設定コマンドに対する応答を受信した制御装置２００は、ステップＳ２６８において、信号処理部４０の信号の送信部をＯＮするためのコマンドを、ＩＤ番号＝ａに向けて送信する。
【０１６４】
次に制御装置２００は、ステップＳ２６９にて、ＩＤ番号設定データのうち、ａの次のデータの有無を確認する。ＩＤ番号設定データの次の設定用データがある場合、制御装置２００は、ステップＳ２７０でｎ＝ｂを設定し、ステップＳ２６５の処理に戻る。本実施の形態５においては、ｂ＝０４である。
【０１６５】
同様にして、制御装置２００は、ステップＳ２６４にて、映像表示装置１００に設定するＩＤ番号をＩＤ＝ｂとして、ＩＤ番号設定コマンド（設定するＩＤ番号＝ｂ）を、ＩＤ＝００に向けて送信する。
【０１６６】
第１信号ライン８０にて縦列に接続された次の映像表示装置１００は、ＩＤ番号設定モードに既に移行している。信号判定部４３によって第１信号受信ありと判定された映像表示装置１００が、ＩＤ＝００に向けて送信されたＩＤ番号設定コマンドを受信すると、その制御部５０は、自身のＩＤ番号をＩＤ＝ｂに設定する。そして、制御部５０は、受信したＩＤ番号設定コマンドに対する応答を、通信ポート３０よりＩＤ番号ｂとして送信する。また、制御部５０は、ＩＤ番号設定モードを解除し通常動作モードに移行する。
【０１６７】
ステップＳ２６６において、ＩＤ番号設定コマンドに対する応答を受信した制御装置２００は、ステップＳ２６８にて、ＩＤ＝ｂに対し信号送信部４２をＯＮするコマンドを、ＩＤ番号＝ｂに向けて送信する。ステップＳ２６９にて、次のＩＤ番号設定データ有無を確認し、ＩＤ番号設定データの次の設定用データがある場合、制御装置２００はステップＳ２７０でｎ＝ｃとし、ステップＳ２６５に戻る。本実施の形態５においては、ｃ＝０７である。
【０１６８】
以上のステップを繰り返し実行し、ステップＳ２６９にて、次のＩＤ番号設定データ有無を確認し、ＩＤ番号設定データの次の設定用データがない場合、制御装置２００はＩＤ番号設定モードを終了する。
【０１６９】
また、映像表示装置１００は、それぞれＩＤ番号を設定された後、通常動作モードに移行する。ステップＳ２６７にて、制御装置２００がタイムアウト処理によりＩＤ番号設定モードを終了したときには、第２信号ライン７０を介して並列に接続されたすべての映像表示装置１００は、通常動作状態モードに移行している。
【０１７０】
（効果）
以上をまとめると、本実施の形態の５における映像表示システム３０２の制御方法が備える読込ステップは、制御装置２００が、複数の識別記号が配列された配列データを読み込むことを含む。また、第２信号出力ステップは、制御装置２００が、配列データ内に配列された複数の識別記号の順に、個別の識別記号を含む第２信号を第２信号ライン７０に出力することを含む。
【０１７１】
以上のような構成により、映像表示システム３０２は、第２信号ライン７０に並列に接続された複数の映像表示装置１００に、第１信号ライン８０で縦列接続した順番に対応する番号とは異なる任意の番号で、識別記号を自動で設定することができる。例えば、単調に増加する番号を縦列接続順に識別記号に設定するのではなく、任意の複数の番号からなる配列に基づいて、識別記号を設定することができる。
【０１７２】
通常、映像表示システムが備える複数の映像表示装置１００は、初期時に、すべての映像表示装置１００が同一の設定である。そのため、制御装置２００が、個々に映像表示装置１００を制御するためには、事前に各映像表示装置１００に対してＰＣ等で、１対１で接続し、各ＩＤ番号を各映像表示装置１００に設定する必要があった。本実施の形態５の映像表示システム３０２は、事前にＩＤ番号を設定することなく、第２信号ライン７０に並列に接続された複数の映像表示装置１００に、重複することなく識別記号を設定することができる。本実施の形態５の映像表示システム３０２は、任意の順番に応じた番号で一度に識別記号を設定することができ、初期設定時の操作を短時間で簡単に行うことが可能となる。
【０１７３】
（その他の変形例）
映像表示装置１００は、例えば、図２に示される全ての構成要素を含まなくてもよい。すなわち、映像表示装置１００は、本発明の効果を実現できる最小限の構成要素のみを含めばよい。例えば、制御部５０が、記憶部６０が行う処理も行うようにすれば、映像表示装置１００は、記憶部６０を備えなくてもよい。
【０１７４】
また、本発明は、映像表示装置１００が備える特徴的な構成部の動作をステップとする、識別記号設定方法として実現してもよい。また、本発明は、当該識別記号設定方法に含まれる各ステップをコンピュータが実行してもよい。また、本発明は、そのような識別記号設定方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１７５】
なお、本発明は、その発明の範囲内において、各実施の形態を自由に組み合わせたり、各実施の形態を適宜、変形、省略したりすることが可能である。本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１７６】
４０  信号処理部、４１  信号受信部、４２  信号送信部、４３  信号判定部、５０  制御部、６０  記憶部、７０  第２信号ライン、８０  第１信号ライン、９０  映像表示部、１００  映像表示装置、２００  制御装置、３００  映像表示システム。
【図１】
2018066831.tif 000003
【図２】
2018066831.tif 000004
【図３】
2018066831.tif 000005
【図４】
2018066831.tif 000006
【図５】
2018066831.tif 000007
【図６】
2018066831.tif 000008
【図７】
2018066831.tif 000009
【図８】
2018066831.tif 000010
【図９】
2018066831.tif 000011
【図１０】
2018066831.tif 000012
【図１１】
2018066831.tif 000013
【図１２】
2018066831.tif 000014
【図１３】
2018066831.tif 000015
【図１４】
2018066831.tif 000016